(57)【要約】【課題】  本発明は釣り用容器に関し、上面部に装着したハンドルを握持して持ち運ぶ際に、上面部の歪みを防止し、容器全体の形崩れをなくして安定した握持ができる釣り用容器を提供することを目的とする。【解決手段】  請求項１に係る発明は、上面部にハンドルを設けた釣り用容器に於て、前記上面部の内部または上面部の裏面側に保形部材を配設し、当該保形部材に前記ハンドルを取り付けたことを特徴とする。そして、請求項２に係る発明は、請求項１に記載の釣り用容器に於て、前記保形部材は、ハンドルの両端部が取り付く部分が連設されていることを特徴とし、請求項３に係る発明は、請求項１または請求項２に記載の釣り用容器に於て、前記保形部材は、上面部よりも曲げ剛性が大きいことを特徴とする。【選択図】    図３
2007228947.tif 000002
【特許請求の範囲】
【請求項１】
上面部にハンドルを設けた釣り用容器に於て、
前記上面部の内部または上面部の裏面側に保形部材を配設し、当該保形部材に前記ハンドルを取り付けたことを特徴とする釣り用容器。
【請求項２】
前記保形部材は、ハンドルの両端部が取り付く部分が連設されていることを特徴とする請求項１に記載の釣り用容器。
【請求項３】
前記保形部材は、上面部よりも曲げ剛性が大きいことを特徴とする請求項１または請求項２に記載の釣り用容器。
【発明の詳細な説明】
【技術分野】
【０００１】
本発明は釣り用容器に係り、詳しくは上面部にハンドルが装着された釣り用容器に関する。
【背景技術】
【０００２】
従来、釣り用容器は、リールや浮き，釣糸等の釣具を収納する釣具入れとして使用するものを始め、魚や撒き餌を入れる釣り用バケツとして使用するもの、シューズやウエーダー，雨具等の濡れ物の収納容器として使用するもの、釣れた魚を入れるビクやスカリとして使用するもの等、様々なものを収納する目的で使用されている。
そして、従来、この種の釣り用容器はその上面部にハンドルを取り付け、これを握持して持ち運べるようにしたものが多く、特許文献１には、容器本体の上部に、その上部開口をチャックで開閉自在に閉塞する蓋体を取り付け、この蓋体（即ち、上面部）の表面に、取付具を介してベルト状のハンドルを取り付けた釣り用容器が開示されている。
【特許文献１】特開２００１−２０４３３６号公報
【発明の開示】
【発明が解決しようとする課題】
【０００３】
しかし乍ら、特許文献１に開示された釣り用容器を始め、この種の釣り用容器の多くは、上面部（蓋体）がエチレン酢酸ビニル等の柔軟性を有する合成樹脂シートで形成されているため、ハンドルを握持して釣り用容器を持ち上げると、ハンドルを取り付けた部分が上方に突出するように歪んで安定した握持ができない欠点があった。
而も、通常、ハンドル（ハンドルの取付具）は溶着によって上面部（蓋体）の表面に貼着された構造上、持ち運ぶ度にハンドルが取り付く部分が歪み、長期に亘る使用によってハンドル（ハンドルの取付具）が上面部（蓋体）から剥離してしまう虞もあった。
【０００４】
また、濡れた雨具等、重い物を収納して持ち運ぶ場合、ハンドルの両端部分を取り付けた部分が上方に突出してその中間部が谷間となって凹むため、ハンドルの中間部に沿って容器が折れ曲がるように形崩れを起こしてしまう不具合も指摘されていた。
本発明は斯かる実情に鑑み案出されたもので、上面部に装着したハンドルを握持して持ち運ぶ際に、上面部の歪みを防止し、容器全体の形崩れをなくして安定した握持ができる釣り用容器を提供することを目的とする。
【課題を解決するための手段】
【０００５】
斯かる目的を達成するため、請求項１に係る発明は、上面部にハンドルを設けた釣り用容器に於て、前記上面部の内部または上面部の裏面側に保形部材を配設し、当該保形部材に前記ハンドルを取り付けたことを特徴とする。
そして、請求項２に係る発明は、請求項１に記載の釣り用容器に於て、前記保形部材は、ハンドルの両端部が取り付く部分が連設されていることを特徴とし、請求項３に係る発明は、請求項１または請求項２に記載の釣り用容器に於て、前記保形部材は、上面部よりも曲げ剛性が大きいことを特徴とする。
【発明の効果】
【０００６】
各請求項に係る発明によれば、ハンドルを握持して釣り用容器を持ち運ぶ時等に、保形部材により上面部の歪みや変形（折れ曲がり）が防止されて釣り用容器全体の形崩れがなくなるため、釣り用容器の安定した握持が可能となる。
【発明を実施するための最良の形態】
【０００７】
以下、本発明の実施形態を図面に基づいて詳細に説明する。
図１乃至図３は請求項１乃至請求項３に係る発明を魚入れ（スカリ）に適用した第一実施形態を示し、図１に於て、１は網状体３で形成された魚の収納部で、当該収納部１は側部（周壁）５と底部７を有する円筒状に形成されて上部に開口部を有し、収納部１を水中に沈めることで、内部に収納した魚を生かしておくことができるようになっている。
【０００８】
而して、網状体３は、心材を斜め方向へ網状に交差させてその表面を合成樹脂でコーティングしたもので、網状体３自体は柔軟性を有し乍らも、収納部１を円筒状に形成することで収納部１全体の形状を保持する強度を有しており、本実施形態に係る魚入れ９を釣場等に置いた際に、網状体３は魚入れ９（収納部１）の形状を保持するようになっている。
そして、図３に示すように収納部１の上部開口の内側周縁部に沿って短冊状の合成樹脂シート１１の一側縁が高周波溶着等で接合されており、合成樹脂シート１１は、収納部１の上部開口に沿って配置された樹脂製の平面視円形状のフレーム１３を挟んで外側へ折り返されている。そして、斯様に外側へ折り返された合成樹脂シート１１の折返し片１５が、収納部１の上部開口の外側周縁部に高周波溶着等で接合されており、合成樹脂シート１１とこのフレーム１３によって収納部１の上部開口の形状保持が図られている。
【０００９】
更に、図２及び図３に示すように前記合成樹脂シート１１の内側に、収納部１の上部開口を開閉自在に覆う蓋体１７が、ヒンジの役割をする１枚の柔軟なシート材１９と、合成樹脂シート１１の内側との間に沿って縫着されたチャック２１を介して開閉可能に取り付けられており、この蓋体１７が魚入れ９の上面部を構成している。そして、チャック２１の一対の操作具２３をシート材１９まで移動させると、蓋体１７が全開して収納部１の上部開口が大きく開放されるようになっている。
【００１０】
図３に示すように蓋体１７は、合成樹脂シートからなる表面シート２５と裏面シート２７の間に、発泡合成樹脂からなる浮力体２９を介在させた可撓性を有する板状に形成されており、表面シート２５と裏面シート２７の周縁部が縫着されている。そして、既述したように、蓋体１７の周縁部と合成樹脂シート１１の内側との間にチャック２１が縫着されており、魚入れ９を水中に投じたとき、魚入れ９は蓋体１７を水面位置にして水に浮き、下方の収納部１が水中に没するようになっている。
【００１１】
そして、上記蓋体１７に、合成樹脂で形成されたコ字状のハンドル３１が左右一対のハンドル取付具３３を介して取り付けられているが、蓋体１７の変形（歪み）を防止するため、図２及び図３に示すように蓋体１７の浮力体２９内に、表面シート２５や浮力体２９よりも曲げ剛性が大きいステンレスや合成樹脂で平面視矩形状且つ断面円形状に形成されたフレーム（保形部材）３５が、ハンドル３１の下方に蓋体１７の表面シート２５を介して対向するように、蓋体１７のハンドル３１の長手方向の中間を横切る線分（図２中、中間線ＡＢ）と直交する方向に埋設されている。そして、当該フレーム３５の長手方向の左右端部側に、夫々、ハンドル取付具３３が取り付けられている。
【００１２】
而して、フレーム３５（保形部材）は、図２に示すように上方から見てハンドル３１よりも大きく形成され、ハンドル３１を取り付けた範囲よりも大きな領域で蓋体１７を保形する。
ハンドル取付具３３は、自ら形状を維持する硬さをもって合成樹脂で形成された正面視逆Ｔ字状のハンドル取付部材で、その下部に前記フレーム３５が挿通する挿通孔３７が形成され、上部にハンドル３１の挿通孔３９が設けられており、ハンドル取付具３３は表面シート２５に設けた挿通孔４１を挿通して上方へ突出している。
【００１３】
一方、ハンドル３１は、例えばエチレン酢酸ビニル等の合成樹脂で形成され、ハンドル３１を上方に起立させた時に蓋体１７の径方向に向かう握持部４３と、当該握持部４３の両端から下方に向かう一対の杆部４５とで、上方に起立させた際に形状を維持する硬さをもって正面視コ字状に形成されている。
また、図３に示すように杆部４５の下端部には、前記ハンドル取付具３３の挿通孔３９に回動自在に挿通する断面円形状の回動軸部４７が形成された連結部４９が設けられており、斯かる構造によって、ハンドル３１が図２の矢印Ａ，Ｂ方向へ倒伏及び起立可能となっている。
【００１４】
そして、図１に示すように、握持部４３の中央には、他の部位に比し厚肉な断面略矩形状のグリップ部５１が一体形成され、当該グリップ部５１に、ハンドル３１を上方に起立させた際に上下方向に開口する取付孔（図示せず）が握持部４３の長さ方向の中央に設けられている。そして、当該取付孔内に図示しない回動部材が配置され、当該回動部材に、合成樹脂で形成された吊下げ用のロープ５３が接続されており、このロープ５３で魚入れ９を吊り下げて水中に浸しておくことができる。
【００１５】
尚、ロープ５３の他端側は巻取り具５５に巻回されている。
その他、図２及び図３に於て、５７は前記挿通孔４１の上方を覆うカバーで、表面シート２５の表面に溶着されて表面シート２５の補強とハンドル３１の抜け止めを図っている。
本実施形態に係る魚入れ（スカリ）９はこのように構成されているから、防波堤等の足場の高い釣場で魚釣りを行う際に、図２の如く蓋体１７をチャック２１で全閉し、そして、巻取り具５５に巻回したロープ５３を所定量繰り出した後、ロープ５３の巻取り具５５側を保持した状態で魚入れ９を海に投げ入れれば、魚入れ９は蓋体１７を水面位置にして浮き、収納部１が水中に没する。
【００１６】
このため、収納部１内に予めエサの活きアジ等を収納しておけば、この活きエサを生かしておくことができ、また、釣り上げた魚を収納部１内に収納した場合にも魚を生かしておくことができる。
そして、斯様に水面に浮かせた魚入れ９に潮の流れが作用して収納部１が回ると、これに応じ回動部材が回ってロープ５３や収納部１の捩れを防止するが、収納部１が回ると、ハンドル３１が取り付く蓋体１７に負荷が掛かってハンドル３１の両端側が上方へ引っ張られて蓋体１７が折れ曲がろうとするが、一対のハンドル取付具３３が取り付くフレーム３５が蓋体１７の歪みや変形を防止し、魚入れ９全体の形崩れを防止する。
【００１７】
また、ロープ５３を手繰り寄せて魚入れ９を水中から引き上げる場合や、ハンドル３１を握持して魚入れ９を持ち運ぶ際にも、ハンドル３１が取り付く蓋体１７に負荷が掛かり、ハンドル３１の両端側が上方へ引っ張られて蓋体１７が折れ曲がろうとするが、フレーム３５が蓋体１７の歪みや変形を防止して魚入れ９全体の形崩れを防止する。
つまり、フレーム３５が蓋体１７の内部に設けられ、少なくとも蓋体１７の表面シート２５を介してハンドル３１と対向するようにして表面シート２５の裏面側に設けたためハンドル３１が抜け止めされ、また、フレーム３５がハンドル３１の両端部に亘るように配されるため、ハンドル３１の両端部の中間（中間線ＡＢ）に沿って折れ曲がり易いが、この中間線ＡＢと交差するため、蓋体１７の折れ曲がりを防止している。
【００１８】
このように本実施形態によれば、ハンドル３１を握持して魚入れ９を持ち運ぶ時等に、フレーム３５によって蓋体１７の歪みや折れ曲がりが防止されて魚入れ９全体の形崩れがなくなり、安定した魚入れ９の握持が可能となった。
図４は請求項１乃至請求項３の発明を魚入れ（スカリ）に適用した第二実施形態を示し、本実施形態に係る魚入れ９-1は、既述したフレーム３５を蓋体１７-1（裏面シート２７）の裏面側に、ハンドル３１と蓋体１７-1を介して対向するように配設すると共に、前記ハンドル取付具３３より上下方向に長尺なハンドル取付具３３-1を蓋体１７-1（表面シート２５，浮力体２９，裏面シート２７）に貫通させて、その下部の挿通孔３７にフレーム３５を挿通させたものである。
【００１９】
尚、その他の構成は図１の実施形態と同様であるので、同一のものには同一符号を付してそれらの説明は省略する。
本実施形態はこのように構成されており、フレーム３５はハンドル３１の両端部間を連設して形成されているから、ハンドル３１を上方に持ち上げると、フレーム３５が蓋体１７-1の裏面に当接してハンドル３１の抜け止めが図られると共に、蓋体１７-1の歪みや変形がフレーム３５によって防止される。
【００２０】
従って、本実施形態によっても、前記魚入れ９と同様、魚入れ９-1を持ち運ぶ時等に、フレーム３５により蓋体１７-1の歪みや折れ曲がりが防止されて魚入れ９-1全体の形崩れがなくなるため、安定した魚入れ９-1の握持が可能となる。
図５及び図６は請求項１１乃至請求項３に係る発明の第三実施形態を示し、本実施形態は釣り用バケツに本発明を適用したものである。
【００２１】
以下、本実施形態を図面に基づいて説明すると、図中、６１は側部（周壁）６３と底部６５が柔軟性を有する合成樹脂シートで形成されて上部に開口を有する円筒状のバケツ本体で、図３の収納部１と同様、バケツ本体６１の上部開口には、図５に示すようにその内側周縁部に沿って短冊状の合成樹脂シート１１の一側縁が高周波溶着等で接合されており、合成樹脂シート１１は、バケツ本体６１の上部開口に沿って配置されたフレーム１３を挟んで外側へ折り返されている。そして、斯様に外側へ折り返された合成樹脂シート１１の折返し片１５が、バケツ本体６１の上部開口の外側周縁部に高周波溶着等で接合されており、合成樹脂シート１１とこのフレーム１３によってバケツ本体６１上部の形状保持が図られている。
【００２２】
そして、図５及び図６に示すように前記合成樹脂シート１１の内側に、バケツ本体６１の上部開口を開閉自在に覆う蓋体６７がシート材１９と、合成樹脂シート１１の内側との間に沿って縫着されたチャック２１を介して開閉可能に取り付けられており、この蓋体６７が釣り用バケツ６９の上面部を構成している。そして、チャック２１の操作具２３をシート材１９まで移動させると、蓋体６７が全開してバケツ本体６１の上部開口が大きく開放されるようになっている。
【００２３】
而して、蓋体６７は、図３の蓋体１７と異なり浮力体を有しておらず、１枚の柔軟性を有する合成樹脂シートで形成されている。そして、図５及び図６に示すようにその裏面側に、蓋体６７の歪みや変形を防止するプレート材（保形部材）７１が配設されている。
プレート材７１は合成樹脂で平面視矩形状に形成されて、蓋体６７よりも大きな曲げ剛性を有している。そして、その上面に、所定の間隔を空けて２枚のプレート状のハンドル取付部７３が対向して突設されており、両ハンドル取付部７３は蓋体６７に設けた貫通孔７５を貫通して上方に突出している。
【００２４】
そして、両ハンドル取付部７３の上部に夫々挿通孔３９が形成されており、両挿通孔３９に、前記各実施形態と同一構造を以ってハンドル３１が取り付けられている。
尚、その他の構成は図１の実施形態と同様であるので、同一のものには同一符号を付してそれらの説明は省略する。また、プレート材７１には、軽量化を図る目的で孔が形成されていたり、網目状に形成されていてもよい。
【００２５】
本実施形態に係る釣り用バケツ６９はこのように構成されており、プレート材７１はハンドル３１の両端部間を連設して形成されているから、ハンドル３１を上方に持ち上げると、プレート材７１が蓋体６７の裏面に当接してハンドル３１の抜け止めが図られると共に、蓋体６７の歪みや変形がプレート材７１によって防止される。
従って、本実施形態によっても、前記各実施形態と同様、所期の目的を達成することが可能で、釣り用バケツ６９を持ち運ぶ時等に、プレート材７１により蓋体６７の歪みや変形が防止されて釣り用バケツ６９全体の形崩れがなくなるため、釣り用バケツ６９の形崩れがなくなって安定した握持が可能となる。
【００２６】
尚、上記各実施形態は本発明を魚入れや釣り用バケツに適用したが、その他、釣具入れとして使用する釣具入れや、シューズやウエーダー等の濡れ物を収納する収納容器等の釣り用容器に適用できることは勿論、上面部を蓋体としない釣り用容器にも適用できるものである。
【図面の簡単な説明】
【００２７】
【図１】請求項１乃至請求項３の第一実施形態に係る魚入れの正面図である。
【図２】図１に示す魚入れの平面図である。
【図３】図１に示す魚入れの要部拡大断面図である。
【図４】請求項１乃至請求項３の第二実施形態に係る魚入れの要部拡大断面図である。
【図５】請求項１乃至請求項３の第三実施形態に係る釣り用バケツの断面図である。
【図６】図５に示す釣り用バケツの平面図である。
【符号の説明】
【００２８】
１  収納部
３  網状体
９，９-1  魚入れ
１１  合成樹脂シート
１３，３５  フレーム
１５  折返し片
１７，１７-1，６７  蓋体
２１  チャック
２５  表面シート
２７  裏面シート
２９  浮力体
３１  ハンドル
３３，３３-1  ハンドル取付具
３７，３９，４１  挿通孔
４３  握持部
４５  杆部
４９  連結部
５１  グリップ部
５３  ロープ
５７  カバー
６１  バケツ本体
６９  釣り用バケツ
７１  プレート材
７３  ハンドル取付部
【図１】
2007228947.tif 000003
【図２】
2007228947.tif 000004
【図３】
2007228947.tif 000005
【図４】
2007228947.tif 000006
【図５】
2007228947.tif 000007
【図６】
2007228947.tif 000008